【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
複数のレンズを備えた光学系のうち、一部のレンズを光軸方向に調整可能な光学機器であって、
前記一部のレンズを保持する第１の保持部材と、
前記第１の保持部材を保持する第２の保持部材と、を有し、
前記第１の保持部材および前記第２の保持部材のうちいずれか一方の保持部材は、前記第１の調整面群および第２の調整面群を備え、
前記一方の保持部材は、前記一方の保持部材とは異なる他方の保持部材に対して回転可能であり、
前記第１の調整面群は、それぞれの前記光軸方向における位置が異なる複数の第１の調整面を有し、
前記第２の調整面群は、それぞれの前記光軸方向における位置が異なる複数の第２の調整面を有し、
前記第２の調整面群は、前記第１の調整面群から第１の回転方向に沿って設けられ、
前記他方の保持部材は、前記複数の第１の調整面のうちのいずれか１つと当接する第１の当接部および前記複数の第２の調整面のうちのいずれか１つと当接する第２の当接部を備え、
前記複数の第１の調整面のうち前記第１の回転方向とは反対方向の第２の回転方向の端部に配置されている調整面の前記光軸方向における位置は、前記複数の第２の調整面のうち前記第１の回転方向の端部に配置されている調整面の前記光軸方向における位置とほぼ等しいことを特徴とする光学機器。
【請求項２】
前記複数の第１の調整面のうち前記第１の回転方向の端部に配置されている調整面の前記光軸方向における位置は、前記複数の第２の調整面のうち前記第１および第２の回転方向の各端部に配置されていない調整面の前記光軸方向における位置とほぼ等しいことを特徴とする請求項１に記載の光学機器。
【請求項３】
前記複数の第１の調整面のうち前記第１の当接部が当接する調整面の前記光軸方向における位置は、前記複数の第２の調整面のうち前記第２の当接部が当接する調整面の前記光軸方向における位置とほぼ等しいことを 特徴とする請求項１または２に記載の光学機器。
【請求項４】
複数のレンズを備えた光学系のうち、一部のレンズを光軸方向に調整可能な光学機器であって、
前記一部のレンズを保持する第１の保持部材と、
前記第１の保持部材を保持する第２の保持部材と、を有し、
前記第１の保持部材および前記第２の保持部材のうちいずれか一方の保持部材は、第１の調整面群、第２の調整面群および第３の調整面群を備え、
前記一方の保持部材は、前記一方の保持部材とは異なる他方の保持部材に対して回転可能であり、
前記第１の調整面群は、それぞれの前記光軸方向における位置が異なる複数の第１の調整面を有し、
前記第２の調整面群は、それぞれの前記光軸方向における位置が異なる複数の第２の調整面を有し、
前記第３の調整面群は、それぞれの前記光軸方向における位置が異なる複数の第３の調整面を有し、
前記第２の調整面群は、前記第１の調整面群から第１の回転方向に沿って設けられ、
前記第３の調整面群は、前記第２の調整面群から第１の回転方向に沿って設けられ、
前記第１の調整面群は、前記第３の調整面群から第１の回転方向に沿って設けられ、
前記他方の保持部材は、前記複数の第１の調整面のうちのいずれか１つと当接する第１の当接部、前記複数の第２の調整面のうちのいずれか１つと当接する第２の当接部、および前記複数の第３の調整面のうちのいずれか１つと当接する第３の当接部を備え、
前記複数の第１の調整面のうち前記第１の回転方向とは反対方向の第２方向の端部に配置されている調整面の前記光軸方向における位置は、前記複数の第２の調整面のうち前記第１の回転方向の端部に配置されている調整面の前記光軸方向における位置、および前記複数の第３の調整面のうち前記第１および第２の回転方向の各端部に配置されていない調整面の前記光軸方向における位置とほぼ等しいことを特徴とする光学機器。
【請求項５】
前記複数の第１の調整面のうち前記第１の回転方向の端部に配置されている調整面の前記光軸方向における位置は、前記複数の第２の調整面のうち前記第１および第２の回転方向の各端部に配置されていない調整面の前記光軸方向における位置、および前記複数の第３の調整面のうち前記第２の回転方向の端部に配置されている調整面の前記光軸方向における位置とほぼ等しいことを特徴とする請求項４に記載の光学機器。
【請求項６】
前記複数の第１の調整面のうち前記第１の当接部が当接する調整面の前記光軸方向における位置は、前記複数の第２の調整面のうち前記第２の当接部が当接する調整面の前記光軸方向における位置、および前記複数の第３の調整面のうち前記第３の当接部が当接する調整面の前記光軸方向における位置とほぼ等しいことを特徴とする請求項４または５に記載の光学機器。
【手続補正２】
【補正対象書類名】明細書
【補正対象項目名】０００３
【補正方法】変更
【補正の内容】
【０００３】
光学機器を構成する部品の精度やレンズ性能を向上させるだけでは、光学機器の光学性能を満足することができないので、個々の光学機器に合わせてレンズ位置を調整する必要がある。例えば、レンズ軸を調芯するような偏芯調整や、レンズ軸の傾きを調整する傾き調整、あるいは、隣接するレンズとのレンズ間隔を調整するトラッキング調整などが提案されている。
【手続補正３】
【補正対象書類名】明細書
【補正対象項目名】０００９
【補正方法】変更
【補正の内容】
【０００９】
本発明の一側面としての光学機器は、複数のレンズを備えた光学系のうち、一部のレンズを光軸方向に調整可能な光学機器であって、前記一部のレンズを保持する第１の保持部材と、前記第１の保持部材を保持する第２の保持部材と、を有し、前記第１の保持部材および前記第２の保持部材のうちいずれか一方の保持部材は、前記第１の調整面群および第２の調整面群を備え、前記一方の保持部材は、前記一方の保持部材とは異なる他方の保持部材に対して回転可能であり、前記第１の調整面群は、それぞれの前記光軸方向における位置が異なる複数の第１の調整面を有し、前記第２の調整面群は、それぞれの前記光軸方向における位置が異なる複数の第２の調整面を有し、前記第２の調整面群は、前記第１の調整面群から第１の回転方向に沿って設けられ、前記他方の保持部材は、前記複数の第１の調整面のうちのいずれか１つと当接する第１の当接部および前記複数の第２の調整面のうちのいずれか１つと当接する第２の当接部を備え、前記複数の第１の調整面のうち前記第１の回転方向とは反対方向の第２の回転方向の端部に配置されている調整面の前記光軸方向における位置は、前記複数の第２の調整面のうち前記第１の回転方向の端部に配置されている調整面の前記光軸方向における位置とほぼ等しいことを特徴とする。
【手続補正４】
【補正対象書類名】明細書
【補正対象項目名】００１０
【補正方法】変更
【補正の内容】
【００１０】
本発明の他の側面としての光学機器は、複数のレンズを備えた光学系のうち、一部のレンズを光軸方向に調整可能な光学機器であって、前記一部のレンズを保持する第１の保持部材と、前記第１の保持部材を保持する第２の保持部材と、を有し、前記第１の保持部材および前記第２の保持部材のうちいずれか一方の保持部材は、第１の調整面群、第２の調整面群および第３の調整面群を備え、前記一方の保持部材は、前記一方の保持部材とは異なる他方の保持部材に対して回転可能であり、前記第１の調整面群は、それぞれの前記光軸方向における位置が異なる複数の第１の調整面を有し、前記第２の調整面群は、それぞれの前記光軸方向における位置が異なる複数の第２の調整面を有し、前記第３の調整面群は、それぞれの前記光軸方向における位置が異なる複数の第３の調整面を有し、前記第２の調整面群は、前記第１の調整面群から第１の回転方向に沿って設けられ、前記第３の調整面群は、前記第２の調整面群から第１の回転方向に沿って設けられ、前記第１の調整面群は、前記第３の調整面群から第１の回転方向に沿って設けられ、前記他方の保持部材は、前記複数の第１の調整面のうちのいずれか１つと当接する第１の当接部、前記複数の第２の調整面のうちのいずれか１つと当接する第２の当接部、および前記複数の第３の調整面のうちのいずれか１つと当接する第３の当接部を備え、前記複数の第１の調整面のうち前記第１の回転方向とは反対方向の第２方向の端部に配置されている調整面の前記光軸方向における位置は、前記複数の第２の調整面のうち前記第１の回転方向の端部に配置されている調整面の前記光軸方向における位置、および前記複数の第３の調整面のうち前記第１および第２の回転方向の各端部に配置されていない調整面の前記光軸方向における位置とほぼ等しいことを特徴とする。
【手続補正５】
【補正対象書類名】明細書
【補正対象項目名】００２６
【補正方法】変更
【補正の内容】
【００２６】
３群地板４０には、シャッターユニットが取り付けられる。シャッターユニットは、一対のシャッター羽根４４ａ、シャッター羽根４４ｂ、およびシャッター駆動装置が取り付けられている。シャッター羽根４４ａ、シャッター羽根４４ｂは、シャッターユニットに回転可能に支持されている。シャッター羽根４４ａ、シャッター羽根４４ｂは、シャッター駆動装置によって駆動されて光軸に直交する面内で光路を遮光する位置と光路から退避する位置との間で移動し、光量調節装置として動作する。
【手続補正６】
【補正対象書類名】明細書
【補正対象項目名】００３３
【補正方法】変更
【補正の内容】
【００３３】
３群ホルダ２６が光軸外の退避位置に移動することで、撮影位置で３群フレーム３７内の３群ホルダ２６が占めていた空間に２群レンズ２３を保持する２群ホルダ２４が収納される。これにより、図３Ｂに示されるように、レンズ鏡筒１の沈胴時の光軸方向の厚みを薄くすることが可能となる。
【手続補正７】
【補正対象書類名】明細書
【補正対象項目名】００４３
【補正方法】変更
【補正の内容】
【００４３】
上記配列とすることで、調整面群３１０ａの第２回転方向Ｙ側の端部に位置する調整面Ａは、調整面群３１０ｂでは第１回転方向Ｘ側の端部に位置している。調整面群３１０ｂの第２回転方向Ｙ側の端部に位置する調整面Ｂは、調整面群３１０ｃでは第１回転方向Ｘ側の端部に位置している。調整面群３１０ｃの第２回転方向Ｙ側の端部に位置する調整面Ｃは、調整面群３１０ａでは第１回転方向Ｘ側の端部に位置している。すなわち、第１の調整面群において最も第２回転方向Ｙ側の端部に位置する調整面は、第１の調整面群の第１回転方向Ｘ側の端部に配置された第２の調整面群において最も第１の回転方向Ｘ側に位置する。
【手続補正８】
【補正対象書類名】明細書
【補正対象項目名】００４５
【補正方法】変更
【補正の内容】
【００４５】
なお、第１の調整面群において第１回転方向Ｘ側の端部に位置する調整面を、第１の調整面群の第１回転方向Ｘ側の端部に配置された第２の調整面群で第２回転方向Ｙ側の端部に位置していてもよい。当接部は、各調整面群のうち、光軸方向の位置が同一である調整面と当接するように配置される。
【手続補正９】
【補正対象書類名】明細書
【補正対象項目名】００５３
【補正方法】変更
【補正の内容】
【００５３】
図に示されるように、第１の調整面群のうち最も第１回転方向Ｘ側の端部に位置する調整面は、第１の調整面群の第１の回転方向Ｘ側に配置された第２の調整面群において最も第２の回転方向Ｙ側の端部に位置する。
【手続補正１０】
【補正対象書類名】図面
【補正対象項目名】図４
【補正方法】変更
【補正の内容】
【図４】
2015118155.tif 000001